(57)【特許請求の範囲】
【請求項１】
電線などの構造物の外周に巻き付けられるネット状の落雪防止装置において、スパイラル状に形成されたＳ撚りスパイラル素線と、該Ｓ撚りスパイラル素線とは逆巻きのスパイラル状に形成されたＺ撚りスパイラル素線と、これらスパイラル素線同士を連結する連結ロッドとを備えたことを特徴とする落雪防止装置。
【請求項２】
上記連結ロッドがノコギリ状に形成された請求項１記載の落雪防止装置。
【発明の詳細な説明】
【０００１】
【発明の属する技術分野】
本発明は、電線からの落雪を防止する落雪防止装置に関するものである。
【０００２】
【従来の技術】
図４に示す落雪防止装置は、特願２０００−１５１３３６号の特許出願に係るものであり、本出願人が本願発明に先行して開発したものである。
【０００３】
この落雪防止装置２０は、電線５に、複数の素線２１をメッシュ状に編み込んだネット２２を巻き付けるものであり、ネット２２内に雪を絡ませて把持し、雪を素線２１に付着させたまま自然に融雪させ、シャーベット状態或いは水滴にして落下させるようになっている。
【０００４】
この落雪防止装置２０によれば、電気や熱などのエネルギーを必要とすることなく、長期間に亘って安価に落雪防止効果を発揮することができる。
【０００５】
【発明が解決しようとする課題】
しかしながら、研究開発中であったことから、雪をさらに強力に把持するネットの形状や、さらに施工性の良いネットの形状については改良の余地が残っていた。
【０００６】
そこで、本発明の目的は、上記課題を解決し、雪を強力に把持でき、施工性の良い落雪防止装置を提供することにある。
【０００７】
【課題を解決するための手段】
上記目的を達成するために本発明は、電線などの構造物の外周に巻き付けられるネット状の落雪防止装置において、スパイラル状に形成されたＳ撚りスパイラル素線と、該Ｓ撚りスパイラル素線とは逆巻きのスパイラル状に形成されたＺ撚りスパイラル素線と、これらスパイラル素線同士を連結する連結ロッドとを備えたものである。
【０００８】
ネット自体の厚みが雪の把持力を高めて落雪防止効果を向上させることができ、巻き付けの際には、電線に巻いた端同士を重複させ、その重複部分に連結ロッドを挿入するだけで電線に巻き付けることができる。
【０００９】
連結ロッドはノコギリ状に形成してもよい。
【００１０】
Ｓ撚りスパイラル素線とＺ撚りスパイラル素線を一定の位置に保持することができる。また、ネット形状が更に複雑となり、雪の保持特性が向上する。
【００１１】
【発明の実施の形態】
本発明の好適実施の形態を添付図面に基づいて詳述する。
【００１２】
図２に示すように、落雪防止装置１は形状の異なる複数種類の素線２，３，４をネット状に組んでなるものであり、架空送電線などの電線５の外周に巻き付けるようになっている。
【００１３】
図１に示すように、落雪防止装置１は、スパイラル状に形成されたＳ撚りスパイラル素線２と、このＳ撚りスパイラル素線２とは逆巻きのスパイラル状に形成されたＺ撚りスパイラル素線３と、これらスパイラル素線２，３同士を連結するための素線である連結ロッド４とからなる。
【００１４】
連結ロッド４は、電線５と同じ素材からなり、ほぼ直線状に形成されている。連結ロッド４は、Ｓ撚りスパイラル素線２とＺ撚りスパイラル素線３とを互いに並行に並べて重ね合わせた重複部分６に挿通されることでＳ撚りスパイラル素線２とＺ撚りスパイラル素線３を連結するようになっている。
【００１５】
Ｓ撚りスパイラル素線２とＺ撚りスパイラル素線３は、電線５と同じ素材からなり、同じピッチに形成されている。これらスパイラル素線２，３は、それぞれ扁平して形成されており、常に一定の位置で連結ロッド４と係合されるようになっている。
【００１６】
また、Ｓ撚りスパイラル素線２とＺ撚りスパイラル素線３は、連結ロッド４を介して交互に多数連結されることでネット状の落雪防止装置１を形成するようになっている。そして、Ｓ撚りスパイラル素線２とＺ撚りスパイラル素線３は、互いにほぼ半ピッチずらして重複されるようになっており、互いに接触されないようになっている。
【００１７】
落雪防止装置１は、一端側にＳ撚りスパイラル素線２を配されると共に、他端側にＺ撚りスパイラル素線３を配されており、両端を接続したときに全周に亘って同じパターンの網目となるようになっている。
【００１８】
そして、Ｓ撚りスパイラル素線２とＺ撚りスパイラル素線３は、それぞれジグザグに交差されながら連結されるようになっている。これにより、網目はジグザグに形成され、雪がネットの目に沿って滑るのを抑え、雪をしっかりと保持するようになっている。
【００１９】
落雪防止装置１は、それぞれのスパイラル素線２，３に厚みを持たせ、電線５に巻き付けたときに、電線５との間に雪を絡ませるための空間７を形成するようなっている。
【００２０】
次に作用を述べる。
【００２１】
電線５に落雪防止装置１を取り付ける場合、まず、電線５の外周に落雪防止装置１を、囲むように巻き、両端を重ね合わせる。そして、重ね合わせた重複部分６に連結ロッド４を挿通し、両端に位置されるスパイラル素線２，３同士を連結する。
【００２２】
このとき、落雪防止装置１の両端には異なるタイプのスパイラル素線２，３が配されているため、全周に亘って同じ網目にすることができ、雪の保持力を一定に保つことができる。
【００２３】
落雪防止装置１を取り付けた電線５に雪が降ると、雪はスパイラル素線２，３と連結ロッド４とに絡みながら積もる。
【００２４】
このとき、Ｓ撚りスパイラル素線２とＺ撚りスパイラル素線３は、互いに重ね合わされた重複部分６でクロスされており、さらに軸方向には連結ロッド４が延びているため、雪が螺旋の隙間に沿って滑り落ちることはなく、しっかりと落雪防止装置１に保持される。
【００２５】
また、落雪防止装置１は、厚みを有するため、雪が塊となって大きくなっても、雪を立体的に複雑に保持することができる。
【００２６】
そして、雪は、スパイラル素線２，３同士の交差パターンと、連結ロッド４とによって捻転方向への移動を規制されているため、落雪防止装置１に積もった雪が一旦溶け、氷になり、その氷が再び溶けてスパイラル素線２，３や連結ロッド４から遊離されても、氷が重心の偏りなどによって回動されることもなく、安定して落雪防止装置１に保持される。
【００２７】
また、春になるなどして気温が上がると、落雪防止装置１に保持された氷雪の塊が自然に溶け、シャーベット状又は水滴となって落下する。このとき、氷雪の塊は、互いに交差するスパイラル素線２，３によって保持されているため、部分的に溶けた程度では落雪防止装置１から落下することはなく、溶けた部分から徐々に落下される。
【００２８】
このため、電線５から落下する雪が下方の屋根（図示せず）や農作物（図示せず）などを破損することはない。
【００２９】
このように、スパイラル状に形成されたＳ撚りスパイラル素線２と、Ｓ撚りスパイラル素線２とは逆巻きのスパイラル状に形成されたＺ撚りスパイラル素線３と、これらスパイラル素線２，３同士を連結する連結ロッド４とを備えてネット状の落雪防止装置１を構成したため、雪の落下しにくい網目形状と厚みを容易に得ることができ、雪の保持性を格段に向上させることができる。
【００３０】
また、連結ロッド４を介してＳ撚りスパイラル素線２とＺ撚りスパイラル素線３とを連結するようにしたため、電線５に落雪防止装置１を巻き付けて両端を重ね合わせた後、その重複部分６に連結ロッド４を挿入するだけで電線５への取付を行うことができ、施工を容易に行うことができる。
【００３１】
そして、スパイラル素線２，３同士を重ね合わせて連結ロッド４を挿入するだけであるため、落雪防止装置１に新たなＳ撚りスパイラル素線２又はＺ撚りスパイラル素線３を容易に連結したり、取り外したりでき、落雪防止装置１のサイズを容易に拡縮できる。
【００３２】
なお、上述の実施の形態では、連結ロッド４を直線状に形成するものとしたが、これに限るものではない。
【００３３】
例えば図３に示すように、連結ロッド１０をノコギリ状にジグザグに形成してもよい。
【００３４】
このとき、連結ロッド１０のピッチをスパイラル素線２，３のピッチと同じに形成するとよい。スパイラル素線２，３の軸方向の位置をそれぞれ一定位置に保つことができ、ネット形状を複雑にして雪の保持性をさらに向上させることができる。
【００３５】
また、スパイラル素線２，３同士を半ピッチずらして連結し、互いに接触させない網目を形成するものとしたが、これに限るものではなく、スパイラル素線２，３同士を重複部分６で接触させ、ほぼ菱形状の網目を形成するように連結してもよい。
【００３６】
そして、上述の実施の形態では落雪防止装置を電線に巻き付けるものとしたが、これに限るものではなく、鉄塔の梁や電柱を支持するワイヤなど、雪が付着しやすい他の構造物に巻き付け、雪の落下を防ぐようにしてもよい。
【００３７】
【発明の効果】
以上要するに本発明によれば、次のような優れた効果を奏する。
（１）雪を強力に把持することができる。
（２）電線に容易に取り付けることができる。
【図面の簡単な説明】
【図１】本発明の好適実施の形態を示す落雪防止装置の要部拡大図である。
【図２】落雪防止装置を電線に取り付けた状態の概略斜視図である。
【図３】他の実施の形態を示す落雪防止装置の要部拡大図である。
【図４】先行開発した落雪防止装置の断面図である。
【符号の説明】
１  落雪防止装置
２  Ｓ撚りスパイラル素線
３  Ｚ撚りスパイラル素線
４  連結ロッド
５  電線
１０  連結ロッド
【図１】
0003710387.tif 000002
【図２】
0003710387.tif 000003
【図３】
0003710387.tif 000004
【図４】
0003710387.tif 000005